(57)【特許請求の範囲】
【請求項１】
ハンドルと連動して回転し且つ前部にスプールを有するスプール軸が内部に嵌挿される駆動筒軸と、この駆動筒軸をリール本体の前部に回転自在に支持する軸受と、前記駆動筒軸に取り付けられ且つ前記スプールに釣糸を巻回する釣糸案内部を有するロータとを備える魚釣用スピニングリールにおいて、
前記リール本体に形成され、前記ロータの逆回転を防止する一方向クラッチと前記軸受との少なくとも一方を内部に収容保持する筒状支持部と、
前記駆動筒軸が貫通する軸孔を有し、該筒状支持部に螺着されて該筒状支持部の開口を閉じ、前記一方向クラッチと軸受との少なくとも一方を前記筒状支持部内に均等に押圧する抜け止め部材と、
前記抜け止め部材の軸孔の回りに取り付けられて前記一方向クラッチ又は軸受との間で挟持されて固定される固定部と、前記駆動筒軸に装着されたロータのボス部又は中間部材に弾性変形可能に接触する接触リップ部とを有するシール部材とを備え、
前記駆動筒軸に装着されたロータのボス部又は中間部材に接触する接触リップ部により、前記抜け止め部材の軸孔を通じた水の侵入を防止したことを特徴とする魚釣用スピニングリール。
【発明の詳細な説明】
【０００１】
【発明の属する技術分野】
本発明は、魚釣用スピニングリールに係わり、特に、リール本体に回転自在に支持される駆動筒軸（ピニオンギア）の支持構造の改良に関する。
【０００２】
【従来の技術】
一般に、魚釣用スピニングリールは、リール本体と、リール本体から延出する脚部と、脚部の端部に形成されて釣竿に取り付けられる竿取付部とを有している。前記リール本体内には、ハンドルが固定されるハンドル軸が回転可能に支持されている。また、ハンドル軸にはドライブギアが固定されており、このドライブギアには、ハンドル軸に対して直交する方向に延びる駆動筒軸としてのピニオンギアが噛合している。また、ピニオンギアの先端部には釣糸案内部を備えたロータが一体的に取り付けられ、ハンドル軸と直交する方向に延在するスプール軸がピニオンギアを貫通している。この場合、スプール軸は、ピニオンギアと同心的に配されており、ハンドル軸と直交する方向に沿って前後動できる。また、スプール軸の先端部には、前記釣糸案内部を介して釣糸が巻回されるスプールが取付けられている。
【０００３】
ところで、前記ピニオンギアは、リール本体の前部に軸受を介して回転可能に支持されている。また、ピニオンギアを支持するこの軸受は、一般に、複数のビスによって直接に、あるいは、係止板を介して複数のビスにより、リール本体に抜け止め係止されている。
【０００４】
しかしながら、このように複数のビスや係止板を用いて軸受を抜け止め係止する構成では、ビスの締め付け力が不均一となり易く、軸受が傾いたり、ピニオンギアがガタ付いたりする虞がある。また、部品点数が多くなるため、組み付け作業に手間がかかり、作業性が悪いといった不具合も指摘されている。
【０００５】
そのため、このような不具合を改善するべく、本出願人は、登録実用新案第３００１８６１号に開示されているように、ピニオンギアが貫通する軸孔を有する皿状の抜け止め部材、すなわち、軸受を側方から一体で押圧する単一部材によって前記軸受を抜け止め係止する構造を提案している。
【０００６】
【発明が解決しようとする課題】
登録実用新案第３００１８６１号に開示された支持構造は、軸受を均一に押圧できるため、軸受やピニオンギアの傾き・ガタ付き等を防止できる非常に優れた作用効果を奏する。
【０００７】
しかしながら、前記抜け止め部材は、軸受を支持するためのものであるため、一般にリール本体の内部への塵の侵入を防止することができても、ピニオンギアと抜け止め部材との間、および、リール本体と抜け止め部材との間を通じた水（海水、淡水）の侵入を防止することができない場合がある。特に、前記抜け止め部材は、リール本体の前部に形成された筒状部の外周面に螺着されているため、水分を毛細管現象で吸い上げて内部に侵入させてしまう虞があり、改善が必要とされている。
【０００８】
本発明は前記事情に着目してなされたものであり、その目的とするところは、駆動筒軸を支持する軸受を抜け止めすることができるとともに、その抜け止め部位を通じた水等の侵入を防止できる魚釣用スピニングリールを提供することにある。
【０００９】
【課題を解決するための手段】
前記課題を解決するために、本発明は、ハンドルと連動して回転し且つ前部にスプールを有するスプール軸が内部に嵌挿される駆動筒軸と、この駆動筒軸をリール本体の前部に回転自在に支持する軸受と、前記駆動筒軸に取り付けられ且つ前記スプールに釣糸を巻回する釣糸案内部を有するロータとを備える魚釣用スピニングリールにおいて、前記リール本体に形成され、前記ロータの逆回転を防止する一方向クラッチと前記軸受との少なくとも一方を内部に収容保持する筒状支持部と、前記駆動筒軸が貫通する軸孔を有し、該筒状支持部に螺着されて該筒状支持部の開口を閉じ、前記一方向クラッチと軸受との少なくとも一方を前記筒状支持部内に均等に押圧する抜け止め部材と、前記抜け止め部材の軸孔の回りに取り付けられて前記一方向クラッチ又は軸受との間で挟持されて固定される固定部と、前記駆動筒軸に装着されたロータのボス部又は中間部材に弾性変形可能に接触する接触リップ部とを有するシール部材とを備え、前記駆動筒軸に装着されたロータのボス部又は中間部材に接触する接触リップ部により、前記抜け止め部材の軸孔を通じた水の侵入を防止したことを特徴とする。
【００１２】
【発明の実施の形態】
以下、図面を参照しつつ本発明の一実施形態について説明する。
【００１３】
図１および図２は本発明の第１の実施形態を示している。図１に示されるように、本実施形態の魚釣用スピニングリール１は、リール本体１ａと、リール本体１ａから延出する脚部１ｂと、脚部１ｂの端部に形成され且つ図示しない釣竿に取り付けられる竿取付部（図示せず）とを有している。リール本体１ａ内には、ハンドル５が固定されるハンドル軸２が回転可能に支持されている。ハンドル軸２にはドライブギア３が固定されており、このドライブギア３には、ハンドル軸２に対して直交する方向に延び且つリール本体１ａに軸受１１Ａ，１１Ｂを介して回転可能に支持された駆動筒軸としてのピニオンギア１３が噛合している。このピニオンギア１３の先端部には、ロータナット３２を介して、ベール６および釣糸案内装置（図示せず）を備えたロータ８が一体的に取り付けられている。
【００１４】
ハンドル軸２と直交する方向に延在するスプール軸９がピニオンギア１３を貫通（嵌挿）している。この場合、スプール軸９は、ピニオンギア１３と同心的に配されており、ハンドル軸２と直交する方向に沿って前後動できる。また、スプール軸９の先端部には釣糸が巻回されるスプール１０が取り付けられている。
【００１５】
また、ドライブギア３にはピニオンギア１３を介して図示しないオシレーティング機構が係合している。このオシレーティング機構は、ピニオンギア１３と噛み合って回転するウォームシャフト（トラバースカム軸）と、このウォームシャフトの溝と噛み合い且つスプール軸９に対してその軸方向に移動不能に取り付けられたスライダとからなり、ハンドル軸２がハンドル５の回転操作によって回転されると、スプール軸９を軸方向に沿って往復駆動（前後動）する。
【００１６】
このような構成では、ハンドル５を回転操作してハンドル軸２を回転させると、前記オシレーティング機構を介してスプール軸９に取り付けられたスプール１０が前後に往復動するとともに、ドライブギア３およびピニオンギア１３を介してロータ８が回転駆動する。したがって、スプール１０には、前記釣糸案内装置を介して、釣糸が均等に巻回される。
【００１７】
また、図２にも拡大して示されるように、リール本体１ａの前部には、ピニオンギア１３を回転可能に支持する第１の軸受１１Ａとロータ８の逆回転を防止する逆転防止機構３０とを内部に収納保持する筒状支持部３１が形成されている。筒状支持部３１はカラー部材４７を介して第１の軸受１１Ａを支持している。また、逆転防止機構３０は、ピニオンギア１３に対して回り止め嵌合されてピニオンギア１３と一体で回転する内輪２０と、内輪２０の外側に配され且つ複数の転動部材２７ａを保持する環状の保持体２７と、保持体２７の外側に配され且つリール本体１ａの筒状支持部３１に取付け固定された外輪２５とを有する一方向クラッチとして構成されている。なお、このような逆転防止機構（一方向クラッチ）は公知であるため、これ以上詳しく述べない。
【００１８】
また、リール本体１ａの筒状支持部３１には、第１の軸受１１Ａを抜け止め支持するカバー状（皿状）の第１の抜け止め部材３３が螺着されている。具体的には、抜け止め部材３３は、その内周面に形成された雌ネジ３３ａが筒状支持部３１の外周面に形成された雄ネジ３１ａに螺合して同心的に取り付けられることにより、筒状支持部３１の開口を閉じるとともに、第１の軸受１１Ａを側方から均一に押圧して第１の軸受１１Ａの抜けおよび傾き・ガタ付き等を防止する（これによって、ピニオンギア１３のガタ付き等も防止される）。また、第１の抜け止め部材３３の中央部には、ピニオンギア１３が貫通するとともにピニオンギア１３に一体で取り付けられるロータ８のボス部８ａが挿入される軸孔３３ｂが形成されている。
【００１９】
また、本実施形態では、抜け止め部材３３による抜け止め部位を通じて筒状支持部３１の内部に水（海水、淡水）や異物等が侵入することを防止するシール手段が設けられている。
【００２０】
すなわち、第１のシール手段として、抜け止め部材３３と筒状支持部３１との間には、ネジ３１ａ，３３ａの内側に位置して、Ｏリング４２が介挿されている。このＯリング４２は、例えば毛細管現象によりネジ３１ａ，３３ａを通じて吸い上げられる水が筒状支持部３１の内部に侵入することを防止する。
【００２１】
また、第２のシール手段として、ロータ８のボス部８ａと第１の抜け止め部材３３との間には、第１の抜け止め部材３３の軸孔３３ｂを通じた水の浸入を防止するシール部材４０が配設されている。シール部材４０は、弾性材料から成り、第１の抜け止め部材３３側に固定されるとともに、ロータ８のボス部８ａ側に常時接触することにより、軸孔３３ｂを通じた水の浸入を防止する。特に本実施形態では、ロータ８のボス部８ａ側に対するシール部材４０の接触圧（押圧力）を安定させるため、中間部材４９を介してシール部材４０がロータ８のボス部８ａ側に接触されている。具体的には、ロータ８のボス部８ａと中間部材４９との間にＯリング４１が介挿されるとともに、シール部材４０は、中間部材４９に常時接触される弾性変形可能な接触リップ部４０ａと、抜け止め部材３３の軸孔３３ｂの周面に形成された取付孔３３ｃに嵌め込んで取り付けられる（本実施例では、取付孔３３ｃを形成する抜け止め部材３３の部位と第１の軸受１１Ａとの間で挟持される）固定部４０ｂとを有している。
【００２２】
以上説明したように、本実施形態の魚釣用スピニングリール１は、ハンドル５と連動して回転し且つスプール１０を有するスプール軸９が内部に嵌挿される駆動筒軸としてのピニオンギア１３と、このピニオンギア１３をリール本体１ａに回転自在に支持する軸受１１Ａと、ピニオンギア１３に取り付けられ且つスプール１０に釣糸を巻回する釣糸案内部を有するロータ８とを備えるとともに、ピニオンギア１３が貫通する軸孔３３ｂを有し且つリール本体１ａに取り付けられることにより軸受１１Ａのリール本体１ａからの抜けを防止する抜け止め部材３３と、抜け止め部材３３の軸孔３３ｂおよび抜け止め部材３３とリール本体１ａとの間を通じて、軸受１１Ａが配設されたリール本体１ａの内部に水が侵入することを防止するシール手段４０，４１，４２とを備えている。
【００２３】
したがって、ピニオンギア１３を支持する軸受１１Ａを抜け止め支持することができるだけでなく、その抜け止め部位を通じた水等の侵入も防止できる。すなわち、本実施形態では、軸受１１Ａを側方から一体で均一に押圧する単一の抜け止め部材３３によって軸受１１Ａを抜け止め支持するため、軸受１１Ａやピニオンギア１３の傾き・ガタ付き等を有効に防止できるとともに、複数のビスで抜け止めする従来に比べて部品点数を削減できるため、組立を簡素化でき、組立作業性が良好であるとともに、高い組み付け精度を得易い。また、シール手段４０，４１，４２を有するとともに、抜け止め部材３３によってシール手段４０，４１，４２を均一に押さえて挟持固定できるため、リール本体１ａの内部の防水が図れるだけでなく、防水性能が安定する。
【００２４】
図３は本発明の第２の実施形態を示している。なお、本実施形態において、第１の実施形態と共通する構成部分については、同一符号を付してその詳細な説明を省略する。
【００２５】
本実施形態では、第１の実施形態よりも小型の（径方向寸法が小さい）一方向クラッチ３０’が採用されている。そのため、第１の実施形態と区別するべく、図では、一方向クラッチ３０’を構成する部材の参照符号の右上に「’」が付されている。
【００２６】
また、本実施形態において、第１の軸受１１Ａは、カラー部材４７を介すことなく、直接に筒状支持部３１に支持されている。これは、小型の一方向クラッチ３０’を採用したことに伴うものである。
【００２７】
また、本実施形態において、シール部材４０の接触リップ部４０ａは、中間部材４９を介すことなく、直接にロータ８のボス部８ａに接触している。
【００２８】
更に、本実施形態においては、第２の軸受１１Ｂの抜けを防止する第２の抜け止め部材５０がリール本体１ａに取り付けられている。具体的には、第２の抜け止め部材５０は、その外周面に形成された雄ネジ５０ａが筒状支持部３１の内周面に形成された雌ネジ５１に螺合して同心的に取り付けられることにより、第２の軸受１１Ｂを側方から均一に押圧して第２の軸受１１Ｂの抜けおよび傾き・ガタ付き等を防止する。なお、それ以外の構成は第１の実施形態と同一である。
【００２９】
このように、本実施形態においても、第１の抜け止め部材３３とシール手段４０，４２とが設けられているため、第１の実施形態と同様の作用効果が得られるとともに、小型の一方向クラッチ３０’を採用してカラー部材４７を排除したことにより、リール本体１ａの径方向寸法を小さくすることができ、また、第２の抜け止め部材５０を設けたことによりリール本体１ａからの第２の軸受１１Ｂの抜けも防止することができる。
【００３０】
図４は本発明の第３の実施形態を示している。なお、本実施形態において、第１の実施形態と共通する構成部分については、同一符号を付してその詳細な説明を省略する。
【００３１】
図示のように、本実施形態においても、第２の実施形態と同様、小型の（径方向寸法が小さい）一方向クラッチ３０’が採用されるとともに、第１の軸受１１Ａがカラー部材４７を介すことなく直接に筒状支持部３１に支持されている。
【００３２】
また、リール本体１ａの筒状支持部３１の内側には、第１の軸受１１Ａを抜け止め支持する環状の第１の抜け止め部材３３Ａが螺着されている。具体的には、抜け止め部材３３Ａは、その外周面に形成された雄ネジ３３Ａａが筒状支持部３１の内周面に形成された雌ネジ３１ｂに螺合して同心的に取り付けられることにより、筒状支持部３１の開口を閉じるとともに、第１の軸受１１Ａを側方から均一に押圧して第１の軸受１１Ａの抜けおよび傾き・ガタ付き等を防止する（これによって、ピニオンギア１３のガタ付き等も防止される）。また、第１の抜け止め部材３３Ａの中央部には、ピニオンギア１３が貫通するとともにピニオンギア１３に一体で取り付けられるロータ８のボス部８ａが挿入される軸孔３３Ａｂが形成されている。なお、それ以外の構成は第１の実施形態と同一である。
【００３３】
このように、本実施形態においては、筒状支持部３１の内周面に抜け止め部材３３Ａを係止するようにしているため、筒状支持部３１内に逆転防止装置（一方向クラッチ等）、軸受１１Ａ、ピニオンギア１３等を収容しながら、この収容部の径方向寸法をコンパクトにすることができるとともに、筒状支持部３１の外周に抜け止め部材３３を係止する第１および第２の実施形態と異なり、毛細管現象が発生するネジ部３１ｂ，３３Ａａを水滴が付着し難い筒状支持部３１の内側に形成しているため、筒状支持部３１内に水が侵入することを極力抑えることができる。また、小型の一方向クラッチ３０’を採用してカラー部材４７を排除したことにより、リール本体１ａの径方向寸法を小さくすることができる。
【００３５】
図５に示すように、本実施形態は、第１のシール手段として、抜け止め部材３３Ａと筒状支持部３１との間には、ネジ３１ｂ，３３Ａａの内側に位置して、Ｏリング４２が介挿されている。このＯリング４２は、例えば毛細管現象によりネジ３１ｂ，３３Ａａを通じて吸い上げられる水が筒状支持部３１の内部に侵入することを防止する。また、第２のシール手段として、ロータ８のボス部８ａと第１の抜け止め部材３３Ａとの間には、第１の抜け止め部材３３Ａの軸孔３３Ａｂを通じた水の浸入を防止するシール部材６０が配設されている。シール部材６０は、弾性材料から成り、ボス部８ａに常時接触される弾性変形可能な接触リップ部６０ａと、抜け止め部材３３Ａの軸孔３３Ａｂの周面に形成された取付孔３３Ａｃに嵌め込んで取り付けられる（本実施例では、取付孔３３Ａｃを形成する抜け止め部材３３Ａの部位と第１の軸受１１Ａとの間で挟持される）固定部６０ｂとを有している。なお、それ以外の構成は第３の実施形態と同一である。したがって、第３の実施形態と同様の作用効果を得ることができるとともに、シール手段を備えている分、第３の実施形態よりも防水性能が向上し、リール本体１ａ内に水が侵入するのをより効果的に防止できる。
【００３６】
図６は本発明の第４の実施形態を示している。なお、本実施形態は、第２の実施形態の変形例であるため、第２の実施形態と共通する構成部分については、同一符号を付してその詳細な説明を省略する。
【００３７】
図示のように、本実施形態では、第２の実施例から第１の軸受１１Ａが排除されており、したがって、第１の抜け止め部材３３は、小型の一方向クラッチ３０’の抜けを防止している。それ以外の構成は第２の実施形態と同一であり、したがって、第２の実施形態と同様の作用効果を得ることができる。
【００３８】
図７は本発明の第５の実施形態を示している。なお、本実施形態は、第３の実施形態の変形例であるため、第３の実施形態と共通する構成部分については、同一符号を付してその詳細な説明を省略する。
【００３９】
図示のように、本実施形態では、第３の実施例から第１の軸受１１Ａが排除されており、したがって、第１の抜け止め部材３３Ａは、小型の一方向クラッチ３０’の抜けを防止している。また、本実施形態においては、第２の実施形態と同様の形態で、第２の軸受１１Ｂの抜けを防止する第２の抜け止め部材５０がリール本体１ａに取り付けられている。それ以外の構成は第３の実施形態と同一であり、したがって、第３の実施形態と同様の作用効果を得ることができるとともに、第２の抜け止め部材５０を設けたことによりリール本体１ａからの第２の軸受１１Ｂの抜けも防止することができる。
【００４０】
なお、本発明は、前述した実施形態に限定されることなく、その要旨を逸脱しない範囲で種々変形実施できることは言うまでもない。例えば、前述した実施形態では、スピニングリールに本発明が適用されているが、本発明は、両軸受型リール等の他のタイプの魚釣用リールに適用することもできる。また、前述した実施形態では、抜け止め部材３３，３３Ａの軸孔３３ｂ、３３Ａｂとロータ（ピニオンギア１３と一体で回転する部材）８のボス部８ａとの間にシール部材４０，６０が設けられているが、抜け止め部材３３，３３Ａの軸孔３３ｂ、３３Ａｂとピニオンギア１３との間にシール部材４０，６０が設けられていても良い。すなわち、シール部材４０，６０が直接にピニオンギア１３と接触していても良い。
【００４１】
【発明の効果】
以上説明したように、本発明の魚釣用スピニングリールによれば、リール本体の筒状支持部に螺着された抜け止め部材が、この筒状支持部の開口を閉じかつこの内部に収容保持された一方向クラッチと軸受との少なくとも一方を均等に押圧することにより、これらの一方向クラッチと軸受との少なくとも一方の抜けおよび傾き・ガタ付き等が防止され、更に、シール部材がこれらの傾き・ガタ付きが防止された一方向クラッチと軸受との少なくとも一方と、抜け止め部材との間で固定部を挟持されて固定されることにより、駆動筒軸に装着されたロータのボス部又は中間部材に接触する接触リップ部により、前記抜け止め部材の軸孔を通じた水の侵入を防止するだけでなく、防水性能が安定する。
【図面の簡単な説明】
【図１】本発明の第１の実施形態に係る魚釣用スピニングリールの一部断面を有する側面図である。
【図２】図１の断面部分の拡大図である。
【図３】本発明の第２の実施形態に係る魚釣用スピニングリールの要部断面図である。
【図４】本発明の第３の実施形態に係る魚釣用スピニングリールの要部断面図である。
【図５】  シール手段を取付けた状態の第３の実施形態に係る魚釣用スピニングリールの要部断面図である。
【図６】  本発明の第４の実施形態に係る魚釣用スピニングリールの要部断面図である。
【図７】  本発明の第５の実施形態に係る魚釣用スピニングリールの要部断面図である。
【符号の説明】
１…魚釣用リール
１ａ…リール本体
５…ハンドル
８…ロータ
９…スプール軸
１０…スプール
１１Ａ…軸受
１３…ピニオンギア（駆動筒軸）
３０，３０’…一方向クラッチ
３３，３３Ａ…抜け止め部材
３３ｂ，３３Ａｂ…軸孔
４０，４１，４２，６０…シール部材（シール手段）
【図１】
0004057254.tif 000002
【図２】
0004057254.tif 000003
【図３】
0004057254.tif 000004
【図４】
0004057254.tif 000005
【図５】
0004057254.tif 000006
【図６】
0004057254.tif 000007
【図７】
0004057254.tif 000008